(57)【要約】【課題】  複数のユーザにより使用される場合の遠隔操作による電源制御を可能にする。【解決手段】  ＭＦＰは、遠隔操作による指示を受け付ける遠隔操作指示受付部と、ジョブを実行するジョブ実行制御部と、電源を制御する電源制御部とを備え、電源制御部は、遠隔操作指示受付部により電源を制御するための電源制御指示が受け付けられたとき（Ｓ３１）、ジョブ実行部が実行するためのジョブが存在する場合（Ｓ３７でＹＥＳ）は、ジョブ実行部が実行するためのジョブの全てを実行した後に（Ｓ４２でＮＯ）、電源を制御するための指示に従って電源を制御する（Ｓ５８）。【選択図】        図１０
2007320051.tif 000002
【特許請求の範囲】
【請求項１】
遠隔操作による指示を受け付ける遠隔操作指示受付手段と、
ジョブを実行するジョブ実行手段と、
電源を制御する電源制御手段とを備え、
前記電源制御手段は、前記遠隔操作指示受付手段により電源を制御するための指示が受け付けられたとき、前記ジョブ実行手段が実行するためのジョブが存在する場合は、前記ジョブ実行手段が実行するためのジョブの全てを実行した後に、前記受け付けられた電源を制御するための指示に従って電源を制御するジョブ待機後制御手段を含む、画像形成装置。
【請求項２】
遠隔操作による指示を受け付ける遠隔操作指示受付手段と、
操作を受け付けるための操作受付手段と、
電源を制御する電源制御手段とを備え、
前記電源制御手段は、前記遠隔操作指示受付手段により電源を制御するための指示が受け付けられたとき、前記操作受付手段が操作を受け付けている場合は、該操作の受付が終了した後に、前記受け付けられた電源を制御するための指示に従って電源を制御する操作待機制御手段を含む、請求項１に記載の画像形成装置。
【請求項３】
少なくとも１つの操作端末とネットワークを介して通信するための通信手段をさらに備え、
前記遠隔操作指示受付手段は、前記通信手段が前記少なくとも１つの操作端末より受信した電源を制御するための指示を受け付ける電源制御指示受信手段を含む、請求項１または２に記載の画像形成装置。
【請求項４】
前記通信手段は、前記電源制御手段が電源を制御する直前に、電源を制御した後の状態を示す信号を前記ネットワークに送信する状態送信手段を含む、請求項３に記載の画像形成装置。
【請求項５】
少なくとも１つの操作端末とネットワークを介して通信するための通信手段をさらに備え、
前記遠隔操作指示受付手段は、前記通信手段が前記電源を制御するための指示を受信したとき、前記電源を制御するための指示を確認するための確認画面を、前記電源を制御するための指示を送信してきた前記操作端末に送信する確認画面送信手段をさらに備えた、請求項１〜２のいずれかに記載の画像形成装置。
【請求項６】
前記電源制御手段は、前記遠隔操作指示受付手段により前記電源を制御するための指示として電源をオフにする指示が受け付けられた場合、電源をオフにする電源オフ制御手段を含む、請求項１〜３のいずれかに記載の画像形成装置。
【請求項７】
前記電源制御手段は、前記遠隔操作指示受付手段により前記電源を制御するための指示として節電モードに切り換える指示が受け付けられた場合、出力する電力を少なくする節電モードに切り換えるモード切換手段を含む、請求項１〜３のいずれかに記載の画像形成装置。
【請求項８】
前記電源制御手段は、電源を制御する前に所定の処理を実行する電源制御前動作実行手段と、
前記遠隔操作指示受付手段により電源を制御する指示が受け付けられた後、前記電源制御前動作実行手段が前記所定の処理を実行している間に、新たなジョブが入力された場合、該新たなジョブを実行するか否かを判断する判断手段と、
前記判断手段による判断結果に基づいて、前記電源制御前動作実行手段による前記所定の処理の実行を中止させ、前記新たなジョブを実行した後に前記電源制御前動作実行手段を能動化する電源制御前動作制御手段と、を含む請求項１に記載の画像形成装置。
【請求項９】
操作主体を認証するための認証手段をさらに備え、
前記遠隔操作指示受付手段は、前記認証手段により認証された操作主体を特定した指示を受け付ける指示受付手段をさらに備えた、請求項１に記載の画像形成装置。
【請求項１０】
前記指示受付手段は、予め定められた操作主体を特定した指示を受け付ける、請求項９に記載の画像形成装置。
【請求項１１】
ネットワークに接続された他の画像処理装置と通信するための通信手段をさらに備え、
前記遠隔操作指示受付手段は、前記通信手段が前記ネットワークに接続された他の画像形成装置から受信した前記電源を制御するための指示を受け付ける連動電源制御指示受付手段を含む、請求項１に記載の画像形成装置。
【請求項１２】
ネットワークに接続された他の画像処理装置と通信するための通信手段をさらに備え、
前記通信手段は、前記遠隔操作指示受付手段により前記電源を制御するための指示が受け付けられることに応じて、前記ネットワークに接続された他の画像形成装置に前記電源を制御するための指示を送信する連動電源制御指示送信手段とをさらに備えた、請求項１に記載の画像形成装置。
【請求項１３】
電子メールを受信する電子メール受信手段をさらに備え、
前記遠隔操作指示受付手段は、前記受信された電子メールに含まれる予め定められた電源制御信号を、前記電源を制御するための指示として受け付ける電源制御指示受付手段を含む、請求項１に記載の画像形成装置。
【請求項１４】
ファクシミリ装置をさらに備え、
前記遠隔操作指示受付手段は、前記ファクシミリ装置により受信されたファクシミリデータに含まれる予め定められた電源制御信号を、前記電源を制御するための指示として受け付ける電源制御指示受付手段を含む、請求項１に記載の画像形成装置。
【請求項１５】
遠隔操作による指示を受け付けるステップと、
ジョブを実行するステップと、
遠隔操作により電源を制御するための指示が受け付けられたとき、実行するためのジョブが存在する場合は、実行するためのジョブの全てを実行した後に、前記遠隔操作により受け付けられた電源を制御するための指示に従って電源を制御するステップと、を含む電源制御方法。
【請求項１６】
遠隔操作による指示を受け付けるステップと、
操作を受け付けるためのステップと、
遠隔操作により電源を制御するための指示が受け付けられたとき、前記操作受付ステップにより操作が受け付けられている場合は、該操作の受付が終了した後に、前記遠隔操作により受け付けられた電源を制御するための指示に従って電源を制御するステップと、を含む画像制御方法。
【請求項１７】
遠隔操作による指示を受け付けるステップと、
ジョブを実行するステップと、
遠隔操作により電源を制御するための指示が受け付けられたとき、実行するためのジョブが存在する場合は、実行するためのジョブの全てを実行した後に、前記遠隔操作により受け付けられた電源を制御するための指示に従って電源を制御するステップと、を画像形成装置に実行させる電源制御プログラム。
【請求項１８】
遠隔操作による指示を受け付けるステップと、
操作を受け付けるためのステップと、
遠隔操作により電源を制御するための指示が受け付けられたとき、前記操作受付ステップにより操作が受け付けられている場合は、該操作の受付が終了した後に、前記遠隔操作により受け付けられた電源を制御するための指示に従って電源を制御するステップと、を画像形成装置に実行させる電源制御プログラム。
【発明の詳細な説明】
【技術分野】
【０００１】
この発明は画像形成装置、電源制御方法および電源制御プログラムに関し、特に、遠隔操作により制御される画像形成装置、その画像形成装置で実行される電源制御方法および電源制御プログラムに関する。
【背景技術】
【０００２】
近年、複数の画像形成装置をネットワークに接続し、コンピュータから遠隔操作で画像形成装置の電源を制御する技術が知られている。特開２０００−２５９３７９号公報には、ネットワークに所定のアダプタ及びプリンタインタフェースを介して接続された複数のプリンタ装置と、ネットワークに接続されたホストコンピュータと、を備え、前記ホストコンピュータが、前記複数のプリンタ装置について、プリンタ装置のステータス情報から電源オン又はオフに設定可能なプリンタ装置を認識して表示装置の画面上に、電源オン又はオフに設定可能なプリンタ装置を一覧表示する手段と、前記画面上で、電源オン又はオフに設定する複数のプリンタ装置が選択された際に、前記選択された１又は複数のプリンタ装置について、前記ネットワークを介して前記プリンタ装置の電源のオン又はオフ制御を実行するように制御する手段と、を含む電源制御手段を備えたプリンタの電源制御方法が記載されている。
【０００３】
しかしながら、画像形成装置の高機能化により、画像形成装置が複数のジョブを記憶することが可能となっている。このため、従来の電源制御方法によれば、画像形成装置が未処理のジョブを記憶している場合であっても、電源がオフされる場合があり、ジョブが実行されることなく電源がオフにされてしまったり、記憶していたジョブが失われてしまったりするといった問題がある。また、画像形成装置を複数のユーザが使用可能となっているため、遠隔操作をするユーザとは別のユーザが画像形成装置を使用している最中に、遠隔操作によって電源がオフにされてしまうことがあり、使用しているユーザは、再度電源を投入する操作をし、最初から設定のための操作をしなければならないといった問題がある。このため、遠隔操作をするユーザが、画像形成装置の電源を遠隔操作によりオフさせる際に、画像形成装置がジョブを実行中でないこと、実行するためのジョブが予約されていないこと、または、別のユーザによって使用されていないことを確認しなければならず、不便であった。
【特許文献１】特開２０００−２５９３７９号公報
【発明の開示】
【発明が解決しようとする課題】
【０００４】
この発明は上述した問題点を解決するためになされたもので、この発明の目的の１つは、複数のユーザにより使用される場合の遠隔操作による電源制御を可能にした画像形成装置を提供することである。
【０００５】
この発明の他の目的は、複数のユーザにより使用される画像形成装置の電源制御を遠隔操作することが可能な電源制御方法を提供することである。
【０００６】
この発明のさらに他の目的は、複数のユーザにより使用される画像形成装置の電源制御を遠隔操作することが可能な電源制御プログラムを提供することである。
【課題を解決するための手段】
【０００７】
上述した目的を達成するために、この発明のある局面によれば、画像形成装置は、遠隔操作による指示を受け付ける遠隔操作指示受付手段と、ジョブを実行するジョブ実行手段と、電源を制御する電源制御手段とを備え、電源制御手段は、遠隔操作指示受付手段により電源を制御するための指示が受け付けられたとき、ジョブ実行手段が実行するためのジョブが存在する場合は、ジョブ実行手段が実行するためのジョブの全てを実行した後に、受け付けられた電源を制御するための指示に従って電源を制御するジョブ待機後制御手段を含む。
【０００８】
この局面に従えば、遠隔操作により電源を制御するための指示が受け付けられたとき、実行するためのジョブが存在する場合は、実行するためのジョブの全てが実行された後に、電源を制御するための指示に従って電源が制御される。このため、実行しているジョブが途中で中断されることなく最後まで実行され、待機中のジョブが失われることなく実行されるので、遠隔操作するユーザは、画像形成装置が実行するためのジョブの存在を確認することなく電源制御のための遠隔操作をすることができる。その結果、複数のユーザにより使用される場合の遠隔操作による電源制御を可能にした画像形成装置を提供することができる。
【０００９】
この発明の他の局面によれば、画像形成装置は、遠隔操作による指示を受け付ける遠隔操作指示受付手段と、操作を受け付けるための操作受付手段と、電源を制御する電源制御手段とを備え、電源制御手段は、遠隔操作指示受付手段により電源を制御するための指示が受け付けられたとき、操作受付手段が操作を受け付けている場合は、該操作の受付が終了した後に、受け付けられた電源を制御するための指示に従って電源を制御する操作待機制御手段を含む。
【００１０】
この局面に従えば、遠隔操作により電源を制御するための指示が受け付けられたとき、操作を受け付けている場合は、該操作の受付が終了した後に、電源を制御するための指示に従って電源を制御する。このため、画像形成装置を操作しているユーザが、操作を入力している最中に、操作の入力が中断されることなく最後まで操作を入力することができる。その結果、複数のユーザにより使用される場合の遠隔操作による電源制御を可能にした画像形成装置を提供することができる。
【００１１】
好ましくは、少なくとも１つの操作端末とネットワークを介して通信するための通信手段をさらに備え、遠隔操作指示受付手段は、通信手段が少なくとも１つの操作端末より受信した電源を制御するための指示を受け付ける電源制御指示受信手段を含む。
【００１２】
好ましくは、通信手段は、電源制御手段が電源を制御する直前に、電源を制御した後の状態を示す信号をネットワークに送信する状態送信手段を含む。
【００１３】
好ましくは、少なくとも１つの操作端末とネットワークを介して通信するための通信手段をさらに備え、遠隔操作指示受付手段は、通信手段が電源を制御するための指示を受信したとき、電源を制御するための指示を確認するための確認画面を、電源を制御するための指示を送信してきた操作端末に送信する確認画面送信手段をさらに備える。
【００１４】
好ましくは、電源制御手段は、遠隔操作指示受付手段により電源を制御するための指示として電源をオフにする指示が受け付けられた場合、電源をオフにする電源オフ制御手段を含む。
【００１５】
好ましくは、電源制御手段は、遠隔操作指示受付手段により電源を制御するための指示として節電モードに切り換える指示が受け付けられた場合、出力する電力を少なくする節電モードに切り換えるモード切換手段を含む。
【００１６】
好ましくは、電源制御手段は、電源を制御する前に所定の処理を実行する電源制御前動作実行手段と、遠隔操作指示受付手段により電源を制御する指示が受け付けられた後、電源制御前動作実行手段が所定の処理を実行している間に、新たなジョブが入力された場合、該新たなジョブを実行するか否かを判断する判断手段と、判断手段による判断結果に基づいて、電源制御前動作実行手段による所定の処理の実行を中止させ、新たなジョブを実行した後に電源制御前動作実行手段を能動化する電源制御前動作制御手段と、を含む。
【００１７】
好ましくは、操作主体を認証するための認証手段をさらに備え、遠隔操作指示受付手段は、認証手段により認証された操作主体を特定した指示を受け付ける指示受付手段をさらに備える。
【００１８】
好ましくは、指示受付手段は、予め定められた操作主体を特定した指示を受け付ける。
【００１９】
好ましくは、ネットワークに接続された他の画像処理装置と通信するための通信手段をさらに備え、遠隔操作指示受付手段は、通信手段がネットワークに接続された他の画像形成装置から受信した電源を制御するための指示を受け付ける連動電源制御指示受付手段を含む。
【００２０】
好ましくは、ネットワークに接続された他の画像処理装置と通信するための通信手段をさらに備え、通信手段は、遠隔操作指示受付手段により電源を制御するための指示が受け付けられることに応じて、ネットワークに接続された他の画像形成装置に電源を制御するための指示を送信する連動電源制御指示送信手段とをさらに備える。
【００２１】
好ましくは、電子メールを受信する電子メール受信手段をさらに備え、遠隔操作指示受付手段は、受信された電子メールに含まれる予め定められた電源制御信号を、電源を制御するための指示として受け付ける電源制御指示受付手段を含む。
【００２２】
好ましくは、ファクシミリ装置をさらに備え、遠隔操作指示受付手段は、ファクシミリ装置により受信されたファクシミリデータに含まれる予め定められた電源制御信号を、電源を制御するための指示として受け付ける電源制御指示受付手段を含む。
【００２３】
この発明の他の局面によれば、電源制御方法は、遠隔操作による指示を受け付けるステップと、ジョブを実行するステップと、遠隔操作により電源を制御するための指示が受け付けられたとき、実行するためのジョブが存在する場合は、実行するためのジョブの全てを実行した後に、遠隔操作により受け付けられた電源を制御するための指示に従って電源を制御するステップとを含む。
【００２４】
この局面に従えば、複数のユーザにより使用される画像形成装置の電源制御を遠隔操作することが可能な電源制御方法を提供することができる。
【００２５】
この発明の他の局面によれば、電源制御方法は、遠隔操作による指示を受け付けるステップと、操作を受け付けるためのステップと、遠隔操作により電源を制御するための指示が受け付けられたとき、操作受付ステップにより操作が受け付けられている場合は、該操作の受付が終了した後に、遠隔操作により受け付けられた電源を制御するための指示に従って電源を制御するステップとを含む。
【００２６】
この局面に従えば、複数のユーザにより使用される画像形成装置の電源制御を遠隔操作することが可能な電源制御方法を提供することができる。
【００２７】
この発明の他の局面によれば、電源制御プログラムは、遠隔操作による指示を受け付けるステップと、ジョブを実行するステップと、遠隔操作により電源を制御するための指示が受け付けられたとき、実行するためのジョブが存在する場合は、実行するためのジョブの全てを実行した後に、遠隔操作により受け付けられた電源を制御するための指示に従って電源を制御するステップと、を画像形成装置に実行させる。
【００２８】
この局面に従えば、複数のユーザにより使用される画像形成装置の電源制御を遠隔操作することが可能な電源制御方法を提供することができる。
【００２９】
この発明の他の局面によれば、電源制御プログラムは、遠隔操作による指示を受け付けるステップと、操作を受け付けるためのステップと、遠隔操作により電源を制御するための指示が受け付けられたとき、操作受付ステップにより操作が受け付けられている場合は、該操作の受付が終了した後に、遠隔操作により受け付けられた電源を制御するための指示に従って電源を制御するステップと、を画像形成装置に実行させる。
【００３０】
この局面に従えば、複数のユーザにより使用される画像形成装置の電源制御を遠隔操作することが可能な電源制御方法を提供することができる。
【発明を実施するための最良の形態】
【００３１】
以下、図面を参照しつつ、本発明の実施の形態について説明する。以下の説明では、同一の部品には同一の符号を付してある。それらの名称および機能も同じである。したがってそれらについての詳細な説明は繰返さない。
【００３２】
＜第１の実施の形態＞
図１は、本発明の第１の実施の形態における画像処理システムの全体構成を示す図である。図１を参照して、画像処理システム１は、それぞれがネットワーク１０１に接続された、パーソナルコンピュータ（以下「ＰＣ」という）１００と、２台のＭＦＰ(Ｍｕｌｔｉ  Ｆｕｎｃｔｉｏｎ  Ｐｅｒｉｐｈｅｒａｌ）１０２，１０３と、２台のプリンタ１０４，１０５とを含む。ＭＦＰ１０２，１０３各々は、原稿を読取って画像データを取得する画像読取部、画像データに基づいて紙などの記録媒体に画像を形成するための画像形成部、ファクシミリ部を含み、画像読取機能、複写機能、ファクシミリ送受信機能を備えている。ＰＣ１００は、一般的なコンピュータであり、そのハード構成は周知なので、ここでは説明を繰り返さない。
【００３３】
ネットワーク１０１は、ローカルエリアネットワーク（ＬＡＮ）であり、接続形態は有線または無線を問わない。またネットワーク１０１は、ＬＡＮに限らず、ワイドエリアネットワーク（ＷＡＮ）、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、インターネット等であってもよい。
【００３４】
なお、ＭＦＰ１０２，１０３およびプリンタ１０４，１０５は、画像形成装置であり、それらの台数は限定されず、１台以上あればよい。また、ＰＣ１００は、ＭＦＰ１０２，１０３およびプリンタ１０４，１０５を遠隔操作するための端末であり、１台以上あればよく、台数を限定するものではない。
【００３５】
図２は、本実施の形態におけるＭＦＰのハード構成の一例を示すブロック図である。ＭＦＰ１０２，１０３それぞれは、ハード構成および機能が同じなので、ここでは、ＭＦＰ１０２を例に説明する。図２を参照して、ＭＦＰ１０２は、ＭＦＰ１０２の全体を制御する中央演算装置（ＣＰＵ）１１０と、ＣＰＵ１１０の作業領域として使用されるＲＡＭ（Ｒａｎｄｏｍ  Ａｃｃｅｓｓ  Ｍｅｍｏｒｙ）１１２と、データを不揮発的に記憶するためのハードディスクドライブ（ＨＤＤ）１１３と、表示部１１４と、操作部１１５と、外部記憶装置１１６と、ファクシミリ部２７と、通信部２８と、電源回路２９と、ＡＤＦ２１と、画像読取部２２と、画像処理部２３と、画像形成部２４と、給紙部２５と、後処理部２６とを含む。
【００３６】
ＡＤＦ２１は、原稿台に搭載された複数枚の原稿をさばいて１枚ずつ順に、画像読取部２２に搬送する。ＡＤＦ２１は、原稿の両面を画像読取部２２に読み取らせるために、原稿を画像読取部２２に搬送して表面を読み取らせた後、原稿を裏返して画像読取部２２に搬送して裏面を読み取らせる。画像読取部２２は、写真、文字、絵等の画像情報を原稿から光学的に読み取って画像データを取得する。画像処理部２３は、ＣＰＵ１１０により制御され、ＣＰＵ１１０からの指示に基づき画像データを画像処理する。画像形成部２４は、画像データが入力されると、画像データに基づいて用紙上に画像を印刷する。
【００３７】
給紙部２５は、複数の給紙トレイを有し、指定された給紙トレイに格納した用紙を１枚ずつ画像形成部２４に供給する。後処理部２６は、画像が形成された用紙を排紙する。後処理部２６は、複数の排紙トレイを有し、ソート部、パンチ穴加工部、ステープル加工部を備えている。ソート部は、画像が形成された複数の用紙を複数の排紙トレイにソートして出力する。パンチ穴加工部は、用紙にパンチ穴を開ける。ステープル加工部は、画像が形成された複数の用紙をまとめるためにステープル加工する。
【００３８】
表示部１１４は、液晶表示装置（ＬＣＤ）、有機ＥＬＤ（Ｅｌｅｃｔｒｏ  Ｌｕｍｉｎｅｓｃｅｎｃｅ Ｄｉｓｐｌａｙ）等の表示装置であり、ユーザに対する指示メニューや取得した画像データに関する情報等を表示する。操作部１１５は、複数のキーを備え、キーに対応するユーザの操作による各種の指示、文字、数字などのデータの入力を受付ける。操作部１１５は、表示部１１４上に設けられたタッチパネルをさらに含む。表示部１１４と操作部１１５とで、ユーザインターフェースとしての操作パネルを構成する。
【００３９】
通信部２８は、ＭＦＰ１０２をネットワーク１０１に接続するための通信インターフェースである。通信部２８は、ＣＰＵ１１０からの指示に従って、ネットワーク１０１に接続された外部の機器との間でデータを送受信する。通信部２８は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで通信する。また、通信部２８は、シリアルインターフェースであってもよい。ＭＦＰ１０２は、通信部２８を介して、ＭＦＰ１０３、ＰＣ１００、プリンタ１０４，１０５と通信が可能である。
【００４０】
外部記憶装置１１６は、ＣＤ−ＲＯＭ（Ｃｏｍｐａｃｔ  Ｄｉｓｃ−Ｒｅａｄ  Ｏｎｌｙ  Ｍｅｍｏｒｙ）１１６Ｂが装着可能である。ＣＤ−ＲＯＭ１１６Ｂには、後述する電源制御プログラムが記憶されており、ＣＰＵ１１０は、外部記憶装置１１６を制御して、ＣＤ−ＲＯＭ１１６Ｂから電源制御プログラムを読出し、読み出した電源制御プログラムをＲＡＭ１１２に記憶し、実行する。
【００４１】
なお、電源制御プログラムを記憶する記録媒体としては、ＣＤ−ＲＯＭ１１６Ｂに限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリでもよい。さらに、ＣＰＵ１１０がネットワーク１０１に接続されたＰＣ１００から電源制御プログラムをダウンロードしてＨＤＤ１１３に記憶する、または、ＰＣ１００が電源制御プログラムをＨＤＤ１１３に書込みするようにして、ＨＤＤ１１３に記憶された電源制御プログラムをＲＡＭ１１２にロードしてＣＰＵ１１０で実行するようにしてもよい。ここでいうプログラムは、ＣＰＵ１１０により直接実行可能なプログラムだけでなく、ソースプログラム、圧縮処理されたプログラム、暗号化されたプログラム等を含む。
【００４２】
ファクシミリ部２７は、ＰＳＴＮ１３に接続され、ＰＳＴＮ１３にファクシミリデータを送信する、またはＰＳＴＮ１３からファクシミリデータを受信する。ファクシミリ部２７は、受信したファクシミリデータを、ＨＤＤ１１３に記憶するとともに、画像形成部２４でプリント可能なプリントデータに変換して、画像形成部２４に出力する。これにより、画像形成部２４は、ファクシミリ部２７により受信されたファクシミリデータを用紙にプリントする。また、ファクシミリ部２７は、ＨＤＤ１１３に記憶されたデータをファクシミリデータに変換して、ＰＳＴＮ１３に接続されたファクシミリ装置に送信する。
【００４３】
電源回路２９は、サブ電源３１と、メイン電源３２と、第１スイッチ３４と、第２スイッチ３３とを含む。第１スイッチ３４は、一端が商用電源に接続されており、他端がサブ電源３１および第２スイッチ３３の一端に接続される。第２スイッチ３３は、一端が第１スイッチに接続され、他端がメイン電源３２に接続される。サブ電源３１は、ＣＰＵ１１０、通信部２８、ファクシミリ部２７に電力を供給する。メイン電源３２は、ＭＦＰ１０２の全体に電力を供給する。第１スイッチ３４および第２スイッチ３３は、ＣＰＵ１１０により制御される。第１スイッチ３４がオンかつ第２スイッチ３３がオフの状態では、商用電源から供給される電力は、サブ電源３１に供給され、メイン電源３２には供給されない。このため、第１スイッチ３４がオンかつ第２スイッチ３３がオフの状態は、ＣＰＵ１１０、通信部２８およびファクシミリ部２７にのみ電力が供給され、それらが能動化されるが、他の部分ＡＤＦ２１、画像読取部２２、画像処理部２３、画像形成部２４、給紙部２５および後処理部２６には電力は供給されない。ＣＰＵ１１０は、ＭＦＰ１０２が節電モードにあるときに、第１スイッチをオンかつ第２スイッチをオフに切り換える。
【００４４】
第１スイッチ３４および第２スイッチ３３がオンの状態では、サブ電源３１がオンで、メイン電源３２がオフの状態である。商用電源から供給される電力は、サブ電源３１およびメイン電源３２に供給される。このため、第１スイッチがオンかつ第２スイッチがオンの状態は、サブ電源３１がオンで、メイン電源がオンの状態である。サブ電源３１がオンで、メイン電源がオンの状態では、ＭＦＰ１０２の全体に電力が供給される。ＣＰＵ１１０は、ＭＦＰ１０２が通常モードにあるときに、第１スイッチをオンかつ第２スイッチをオンに切り換える。
【００４５】
図３は、ＭＦＰのＣＰＵの機能の概要をＨＤＤに記憶する情報とともに示す機能ブロック図である。図３を参照して、ＣＰＵ１１０は、操作主体となるユーザを認証するためのユーザ認証部１５１と、遠隔制御指示を受け付けるための遠隔制御指示受付部１５２と、ジョブを受け付けＨＤＤ１１３のジョブ記憶部１１３Ａに記憶するジョブ受付部１５３と、ジョブ記憶部１１３Ａに記憶されたジョブを実行するジョブ実行制御部１５４と、電源回路２９を制御するための電源制御部１５５と、電源制御前動作実行部１５６とを含む。
【００４６】
ユーザ認証部１５１は、ＭＦＰ１０２にログインするユーザを認証する。ここでは、ユーザを特定するためのユーザ識別情報とパスワードとを用いてユーザ認証する。ＭＦＰ１０２は、ユーザ識別情報とパスワードとを関連付けたユーザデータをＨＤＤ１１３に予め記憶しており、ＭＦＰ１０２に入力されるユーザ識別情報とパスワードとを用いて、ログインするユーザを認証する。ユーザが、ＭＦＰ１０２を直接操作する場合、ユーザが操作部１１５にユーザ識別情報とパスワードとを入力すると、ユーザ認証部１５１は、操作部１１５からユーザ識別情報とパスワードとを受け付け、ユーザデータを用いて認証する。ユーザがＰＣ１００を操作して、ＭＦＰ１０２を遠隔操作する場合、ＰＣ１００からユーザ識別情報とパスワードとが送信され、通信部２８により受信される。ユーザ認証部１５１は、通信部２８からＰＣ１００からユーザ識別情報とパスワードとを受け付け、ユーザデータを用いて認証する。
【００４７】
遠隔制御指示受付部１５２は、遠隔制御指示を電源制御部１５５に出力する。遠隔制御指示受付部１５２は、操作受付部１６１を含む。操作受付部１６１は、通信部２８から遠隔操作指示を受け付ける。通信部２８は、ＰＣ１００から遠隔操作指示を受信すると、遠隔操作指示を操作受付部１６１に出力する。ＰＣ１００が送信する遠隔操作指示は、ユーザ識別情報とパスワードとを含む場合がある。操作受付部１６１は、遠隔操作指示とともに受け付けるユーザ識別情報とパスワードとを、ユーザ認証部１５１に認証を依頼するためにそれらを出力し、ユーザ認証部１５１から認証結果を受信する。操作受付部１６１は、ユーザ認証部１５１による認証が成功した場合に、遠隔操作指示を電源制御部１５５に出力する。また、特定のユーザ識別情報を予め定めておき、操作受付部１６１は、その特定のユーザ識別情報とともに遠隔制御指示が受け付けられ、その特定のユーザ識別情報がユーザ認証部１５１により認証された場合に、遠隔制御指示を電源制御部１５５に出力するようにしてもよい。
【００４８】
また、遠隔制御指示受付部１５２は、予め記憶された連動装置から遠隔操作指示を受け付ける。連動装置は、ＭＦＰ１０２の管理者により予め登録され、ＨＤＤ１１３に記憶される。ここでは、ＭＦＰ１０３が連動装置として登録されている例を説明する。通信部２８がＭＦＰ１０２から遠隔操作指示を受信すると、遠隔操作指示受付部１５２は通信部２８から遠隔操作指示を受け付ける。一方、遠隔制御指示受付部１５２は、操作受付部１６１が遠隔操作指示を受け付けると、連動装置がＨＤＤ１１３に記憶されていれば、その連動装置に遠隔操作指示を送信する。
【００４９】
ジョブ受付部１５３は、ジョブを受け付け、受け付けたジョブをジョブ記憶部１１３Ａに記憶する。ジョブ受付部１５３が受け付けるジョブは、操作部１１５から入力される場合と、通信部２８から入力される場合とがある。ジョブは、プリントデータを用紙に画像形成するプリントジョブ、原稿を画像読取部２２で読み取らせ、画像読取部２２が出力する画像データ（スキャンデータ）をＨＤＤ１１３に記憶するスキャンジョブ、原稿を画像読取部２２で読み取らせ、画像読取部２２が出力する画像データ（スキャンデータ）を画像形成部２４に用紙に画像形成させるコピージョブがある。ジョブ受付部１５３は、受け付けたジョブを受け付けた順にジョブ記憶部１１３Ａに記憶する。ジョブ受付部１５３が受け付けるジョブは、ユーザ識別情報と関連付けるようにしてもよい。ジョブが通信部２８から入力される場合には、通信部２８において、ジョブとともにユーザ識別情報を受信して、ジョブを受信したユーザ識別情報と関連付けてジョブ記憶部１１３Ａに記憶する。ジョブが操作部１１５から入力される場合には、ジョブを操作部１１５から入力されるユーザ識別情報と関連付けてジョブ記憶部１１３Ａに記憶する。ユーザに、操作部１１５にユーザ識別情報とパスワードとを入力させ、ユーザ認証部１５１により認証が成功することを条件に、ジョブが入力されるのを許可するようにすれば良い。
【００５０】
ジョブ実行制御部１５４は、ジョブ記憶部１１３Ａに記憶されたジョブを順に読出し、ジョブを実行する。プリントジョブの場合には、プリントデータを画像形成部２４に画像形成させ、スキャンジョブの場合には、画像読取部２２に原稿を読み取らせ、画像読取部２２が出力する画像データ（スキャンデータ）をＨＤＤ１１３に記憶する。コピージョブの場合には、画像読取部２２に原稿を読み取らせ、画像読取部２２が出力する画像データ（スキャンデータ）を画像形成部２４に画像形成させる。
コピージョブがある。
【００５１】
電源制御部１５５は、遠隔制御指示受付部１５２から遠隔制御指示が入力され、遠隔制御指示に従って電源回路２９を制御する。電源制御部１５５は、電源回路２９の第１スイッチ３４および第２スイッチ３３それぞれを切り換える。遠隔制御指示が、サブ電源３１をオフする指示の場合、電源制御部１５５は、第１スイッチ３４をオンからオフに切り換える。遠隔制御指示が、動作モードを節電モードへ切り換える指示の場合、電源制御部１５５は、第２スイッチ３３をオンからオフに切り換える。電源制御部１５５は、第１スイッチ３４または第２スイッチ３３をオンからオフに切り換える前に、電源制御前動作実行部１５６を能動化し、電源制御前動作実行部１５６が所定の動作を画像形成部２４に実行させた後に、第１スイッチ３４または第２スイッチ３３をオンからオフに切り換える。
【００５２】
電源制御前動作実行部１５６は、画像形成部２４に電力が供給されている状態から、電力を供給しない状態にする場合に、所定の動作を画像形成部２４に実行させる。電源制御前動作実行部１５６は、画像形成部２４に所定の動作を実行させた後、電源制御部１５５に終了信号を出力する。
【００５３】
図４は、ＰＣで実行される装置管理処理の流れの一例を示す図である。装置管理処理は、ＰＣが備えるＣＰＵが装置管理プログラムを実行することにより、ＣＰＵにより実行される処理である。図４を参照して、ＰＣ２００のＣＰＵは、装置状態を検出する（ステップＳ０１）。ＭＦＰ１０２，１０３およびプリンタ１０４，１０５各々に、状態を問い合わせて、それぞれから現在の状態を受信する。状態とは、ＭＦＰ１０２，１０３にあっては、画像形成部２４が動作しているプリント中、待機状態にあるスタンバイ、節電モードにあるスリープ、電源オフがある。電源オフの状態は、ＰＣが状態を問合せしても、返信がない場合に電源オフの状態と判断する。
【００５４】
そして、ユーザによる状態一覧画面を表示する指示が受け付けられたか否かを判断する（ステップＳ０２）。そのような指示が受け付けられたならば処理をステップＳ０３に進め、そうでなければ処理をステップＳ１４に進める。ステップＳ０３においては、状態の一覧画面をディスプレイに表示する。
【００５５】
図５は、状態一覧表示画面の一例を示す図である。図５を参照して、状態一覧表示画面は、装置ごとに、選択の項目と、管理Ｎｏ．の項目と、画像形成装置名称の項目と、ネットワーク接続状態の項目と、端末状態の項目とを含む。ＭＦＰ１０２がそれに割当てられた装置名ＭＦＰ  Ａで示され、ネットワーク接続状態の項目が接続、端末状態がスタンバイとして表示される。ＭＦＰ１０３がそれに割当てられた装置名ＭＦＰ  Ｂで示され、ネットワーク接続状態の項目が接続、端末状態がプリント中として表示される。プリンタ１０４がそれに割当てられた装置名ＰＲＴ  Ａで示され、ネットワーク接続状態の項目が接続、端末状態がプリント中として表示される。プリンタ１０５がそれに割当てられた装置名ＰＲＴ  Ｂで示され、ネットワーク接続状態の項目が接続、端末状態がスタンバイとして表示される。ＰＣ１００のユーザは、一覧表示画面に表示された装置のうちから遠隔操作することを望む装置の選択の項目を指示することで、その装置を遠隔操作対象の装置に選択することができる。また、状態一覧表示画面は、「電源状態一括操作キー」の文字が表されたキーを含む。このキーが指示されることにより、後述する電源状態一括操作画面の表示に切換わる。
【００５６】
図５に戻って、ステップＳ０４においては、装置が選択されたか否かを判断する。装置が選択されたならば処理をステップＳ０５に進め、選択されなければ処理をステップＳ１４に進める。ステップＳ０５においては、操作画面を表示する。操作画面は、選択された装置を遠隔操作するための画面である。
【００５７】
図６は、操作画面の一例を示す第１の図である。図では、ＭＦＰ１０２，１０３およびプリンタ１０４、１０５が状態表示画面で選択された場合の、操作画面を示している。図６を参照して、操作画面は、選択された装置の装置名称のタブを含み、装置ごとに操作画面を切換可能に構成される。図では、ＭＦＰ１０２のタブＭＦＰ  Ａに対応する操作画面を示している。操作画面は、遠隔操作画面に切り換えるための「電源状態」の文字が表されたキーと、ジョブを設定するための種々のキーを含む。「電源状態」の文字が表されたキーを指示すると、電源操作画面が表示される。
【００５８】
図７（Ａ）は、電源操作画面の一例を示す図である。図７（Ａ）は、図６に示した操作画面で、ＭＦＰ１０２に対する操作画面が表示されている状態で、「電源状態」の文字が表されたキーが指示され、表示される電源操作画面を示し、ＭＦＰ１０２に対する電源制御指示を入力するための画面である。図７（Ａ）を参照して、電源操作画面は、サブ電源スイッチをオンまたはオフに切り換える電源制御指示と、節電モードをオンまたはオフに切り換える電源制御指示とを入力可能である。サブ電源スイッチをオフに切り換える電源制御指示を入力した場合には、節電モードをオンまたはオフに切り換える電源制御指示を入力することができない。ＯＫの文字が表されたボタンが指示されると、ＭＦＰ１０２に対する電源制御指示がＰＣ１００で受け付けられる。サブ電源スイッチをオフにする指示が受け付けられると、サブ電源をオフにする電源制御指示が受け付けられる。節電モードをオンにする指示が受け付けられると、節電モードに切り換える電源制御指示が受け付けられる。
【００５９】
図７（Ｂ）は、電源状態一括操作画面の一例を示す図である。図７（Ｂ）は、図５に示した状態一覧表示画面で、「電源状態一括操作キー」の文字が表されたキーが指示されることにより、表示される画面である。従って、図７（Ｂ）に示す電源状態一括操作画面は、ＭＦＰ１０２，１０３およびプリンタ１０４，１０５のすべてに対し、同じ電源制御指示を入力するための画面である。ＯＫの文字が表されたボタンが指示されると、電源制御指示がＭＦＰ１０２，１０３およびプリンタ１０４，１０５それぞれに対する電源制御指示がＰＣ１００で受け付けられる。
【００６０】
図４に戻って、ステップＳ０６において、電源制御指示が受け付けられたか否かを判断する。電源制御指示が受け付けられたならば処理をステップＳ０７に進め、そうでなければ処理をステップＳ１４に進める。ステップＳ０７においては、ユーザ識別情報を受け付け、次のステップＳ０８においてパスワードを受け付ける。ＰＣ１００は、ディスプレイにログイン画面を表示して、ユーザ識別情報およびパスワードの入力を受け付ける。そして、受け付けたユーザ識別情報とパスワードとを、電源制御指示の送信対象である装置に送信する（ステップＳ０９）。ここでは、電源制御指示の送信対象をＭＦＰ１０２として説明する。ＭＦＰ１０２においては、後述するように、ユーザ識別情報とパスワードとを受信すると、電源制御指示の受け付けが許可されたユーザか否かを判断し、許可されたユーザに割り当てられた識別情報であればログインを許可する信号を返信し、許可されたユーザでなければログインを拒否する信号を返信する。電源制御指示の受付を許可するユーザに割当てられたユーザ識別情報は、ＭＦＰ１０２に予め記憶されている。
【００６１】
次に、ステップＳ１０において、ログインが許可されたか否かを判断し、許可されたならば処理をステップＳ１１に進め、拒否されたならば処理をステップＳ１２に進める。ステップＳ１１においては、ステップＳ０６において受け付けた電源制御指示をＭＦＰ１０２に送信し、処理をステップＳ１３に進める。一方、ステップＳ１２においては、エラー処理を実行し、処理をステップＳ１３に進める。エラー処理は、例えば、ログインが拒否されたことを示すメッセージを含むエラー画面をディスプレイに表示する。ステップＳ１３においては、次に遠隔制御指示を送信する装置があるか否かを判断し、存在すれば処理をステップＳ０９に戻し、存在しなければ処理をステップＳ１４に進める。
【００６２】
図８（Ａ）は、ログイン画面の一例を示す図である。ログイン画面は、図４のステップＳ０７およびステップＳ０８においてＰＣ１００のディスプレイに表示される画面である。図８（Ｂ）は、エラー画面の一例を示す図である。エラー画面は、図４のステップＳ１２においてＰＣ１００のディスプレイに表示される画面である。
【００６３】
図４に戻って、ＰＣ１００は、ステップＳ１４において、ＭＦＰ１０２から警告画面を受信した場合には、処理をステップＳ１４に進め、そうでなければ処理をステップＳ１９に進める。ステップＳ１５において受信した警告画面をディスプレイに表示する。警告画面は、ＭＦＰ１０２にファクシミリ装置が装着されている場合に、ＭＦＰ１０２から送信される画面であり、ファクシミリ装置が装着されている状態で、電源制御をしてもよいか否かを問い合わせるための画面である。ＭＦＰ１０２にファクシミリ装置が装着されている状態で、電源が制御されると、メイン電源がオフの場合には、ファクシミリ受信しても画像形成されることなくＨＤＤ１１３に記憶され、用紙に画像形成されなくなり、サブ電源がオフの場合にはファクシミリ装置に電力が供給されないので、ファクシミリ受信できなくなってしまうため、ユーザに確認を求めるためである。
【００６４】
図９は、警告画面の一例を示す図である。警告画面は、ＯＫの文字が表されたボタンと、キャンセルの文字が表されたボタンとを含む。ユーザは、電源制御指示を有効とする場合は、ＯＫの文字が表されたボタンを指示し、電源制御指示を取り消す場合は、キャンセルの文字が表されたボタンを指示すればよい。
【００６５】
図４に戻って、ステップＳ１６において、ＰＣ１００は、警告画面においてＯＫの文字が表されたボタンが指示されたならば（ステップＳ１６でＹＥＳ）、確認信号をＭＦＰ１０２に送信し（ステップＳ１７）、キャンセルの文字が表されたボタンが指示されたならば（ステップＳ１６でＮＯ）、取消信号をＭＦＰ１０２に送信する（ステップＳ１８）。
【００６６】
ここで、ＭＦＰ１０２が実行する処理について説明する。図１０は、ＭＦＰで実行される電源制御処理の流れの一例を示すフローチャートである。電源制御処理は、ＭＦＰ１０２のＣＰＵ１１０が電源制御プログラムを実行することにより、ＣＰＵ１１０により実行される処理である。図１０を参照して、ＣＰＵ１１０は、電源制御指示受信処理を実行する。
【００６７】
電源制御指示受信処理について説明する。図１１は、電源制御指示受信処理の流れの一例を示すフローチャートである。ＣＰＵ１１０は、連動装置であるＭＦＰ１０３から電源制御指示の遠隔操作指示を受信したか否かを判断する（ステップＳ７１）。電源制御指示を受信したならば処理を遠隔制御処理に戻し、受信しなければ処理をステップＳ７２に進める。ステップＳ７２においては、ユーザ認証が成功したか否かを判断する。ＰＣ１００から受信したユーザ識別情報およびパスワードを含むユーザデータが、ＨＤＤ１１３に記憶されているか否かを判断する。ユーザデータは、ユーザ識別情報とパスワードとを関連付けたデータであり、ＨＤＤ１１３に予め記憶されている。ＰＣ１００から受信したユーザ識別情報とパスワードと同じユーザデータが、ＨＤＤ１１３に記憶されていれば、ユーザ識別情報を認証し、記憶されていなければ認証しない。ユーザ識別情報を認証したならば処理をステップＳ７３に進め、認証しなければ処理をステップＳ７８に進める。ステップＳ７３においては、認証されたユーザ識別情報が遠隔操作が認められたユーザに対応するものとして予め定められているか否かを判断する。予め定められたユーザ識別情報であれば処理をステップＳ７４に進めるが、そうでなければ処理をステップＳ７８に進める。ＭＦＰ１０２に遠隔操作で電源制御指示することのできるユーザを制限するためである。ステップＳ７４にいては、ログインを許可し、次のステップＳ７５において電源制御指示を受信する。その後処理をステップＳ７６に進める。一方、ステップＳ７８においては、ログインを拒否し、処理をステップＳ７２に戻す。
【００６８】
ステップＳ７６においては、連動装置が存在するか否かを判断する。連動装置がＨＤＤ１１３に記憶されていれば処理をステップＳ７７に進め、記憶されていなければ処理を遠隔制御処理に戻す。ステップＳ７７においては、連動装置に電源制御指示の遠隔操作指示を送信する。ここでは、連動装置としてＭＦＰ１０３が記憶されているので、ＭＦＰ１０２に電源制御指示が送信される。このため、ＭＦＰ１０２に電源制御指示をすれば、ＭＦＰ１０３にも電源制御指示することができる。
【００６９】
図１０に戻って、電源制御指示受付処理が終了すると、ＭＦＰ１０２にファクシミリ装置が装着されているか否かを判断する（ステップＳ３２）。ファクシミリ装置が装着されていれば処理をステップＳ３３に進め、そうでなければ処理をステップＳ３５に進める。ステップＳ３３においては、警告画面をＰＣ１００に送信する。ステップＳ３４においては、電源制御指示を有効とする確認信号をＰＣ１００から受信したならば処理をステップＳ３５に進め、電源制御指示を取り消すことを示す取消信号をＰＣ１００から受信したならば処理をステップＳ３１に戻す。
【００７０】
ステップＳ３５においては、ＭＦＰ１０２の状態を検出し、動作中であれば処理をステップＳ３６に進め、待機中であれば処理をステップＳ４３に進め、節電モードであれば処理をステップＳ５５に進める。
【００７１】
ステップＳ３６においては、実行中のジョブが終了するまで待機状態となり、実行中のジョブが終了したならば処理をステップＳ３７に進める。ステップＳ３７においては、待機ジョブが存在するか否かを判断する。ＨＤＤ１１３のジョブ記憶部１１３Ａにジョブが記憶されていれば、待機ジョブが存在すると判断する。待機ジョブが存在すれば処理をステップＳ３８に進め、そうでなければ処理をステップＳ３９に進める。ステップＳ３８においては、ジョブ記憶部１１３Ａから待機ジョブを読出し、ジョブの実行を開始し、処理をステップＳ３９に進める。なお、待機ジョブのうち、電源制御指示をしたユーザのジョブを実行しないようにし、電源制御指示をしたユーザ以外のジョブのみを実行するようにしてもよい。電源制御指示をしたユーザは、自らが指示したジョブが待機ジョブとなっていることを知っているため、電源制御指示を入力することによりその待機ジョブが実行されるのを中止させることができる。
【００７２】
ステップＳ３９においては、操作が受け付けられたか否かを判断する。ユーザによる操作部１１５の操作を検出したならば、その操作を受け付け（ステップＳ４０）。ユーザによる操作部１１５の操作を検出しなければ、処理をステップＳ４１に進める。ステップＳ４１においては、ステップＳ３８において開始した待機ジョブが終了したか否かを判断する。待機ジョブが終了したならば処理をステップＳ４２に進め、終了していなければ処理をステップＳ３７に進める。ステップＳ４２においては、待機ジョブが存在するか否かを判断し、存在すれば処理をステップＳ３８に戻し、存在しなければ処理をステップＳ４３に進める。すなわち、ジョブ記憶部１１３Ａに記憶されているジョブを全て実行すると、処理をステップＳ４３に進める。このため、待機ジョブが実行されている間に、操作部１１５から操作を受け付けるので、受け付けられた操作に基づき新たなジョブが設定された場合には、その新たなジョブがジョブ記憶部１１３Ａに待機ジョブとして追加して記憶される。この新たなジョブを含めた全てのジョブの実行が終了すると、処理がステップＳ４３に進む。したがって、ジョブ記憶部１１３Ａに記憶されているジョブを全て実行した後に、電源制御指示に従った電源制御が実行される。
【００７３】
ステップＳ４３においては、ログインユーザが存在するか否かを判断する。ログインユーザが存在すれば処理をステップＳ４４に進め、存在しなければ処理をステップＳ４５に進める。ステップＳ４４においては、ログインユーザのすべてがログアウトしたか否かを判断する。ログインユーザの全てがログアウトしたならば処理をステップＳ４５に進め、そうでなければ処理をステップＳ３７に戻す。ログインユーザは、操作部１１５を操作してログインしたユーザと、通信部２８を介して遠隔操作によりログインしたユーザとの両方を含む。ログインユーザが新たなジョブを設定する場合がある。新たなジョブが設定された場合には、設定された新たなジョブは、ジョブ記憶部１１３Ａに追加して記憶される。ステップＳ４１においては、この新たなジョブを含めた全てのジョブの実行が終了することを条件に、処理をステップＳ４３に進めるので、ログインユーザが設定したジョブが実行された後に、電源制御指示に従った電源制御が実行される。また、ログインユーザが存在する場合には、電源制御指示が実行されないので、ログインユーザがジョブの設定中に、メイン電源がオフにされて設定されたジョブが失われるのを防止することができる。
【００７４】
ステップＳ４５においては、ステップＳ４０で操作を受け付けてから所定の時間が経過したか否かを判断する。所定の時間が経過していれば処理をステップＳ４６に進め、そうでなければ処理をステップＳ３７に戻す。操作を受け付けてから所定の時間を確保することにより、ジョブの設定が完了する前に、処理がステップＳ４６に進むのを防止するためである。ジョブの設定途中にメイン電源がオフにされて、ジョブの設定操作が無駄になるのを防止するためである。このため、操作の受付が完了した後に、電源制御指示に従った電源制御が実行される。
【００７５】
ステップＳ４６においては、電源オフ動作を開始し、処理をステップＳ４７に進める。電源オフ動作は、画像形成部２４に電力が供給されている状態から、電力を供給しない状態にする場合に、画像形成部２４により実行される所定の動作である。ステップＳ４７においては、ジョブを受け付けたか否かを判断する。ジョブを受け付けたならば処理をステップＳ４８に進め、そうでなければ処理をステップＳ５４に進める。ステップＳ４８においては、受け付けたジョブに関するジョブ情報を、電源制御指示を送信してきた指示端末、ここではＰＣ１００に送信する。ジョブ情報は、例えば、ジョブを設定したユーザを識別するためのユーザ識別情報、ジョブの種類などを含む。
【００７６】
ＰＣ１００では、図４を参照して、ステップＳ１９において、ジョブ情報受信したならば処理をステップＳ２０に進め、受信しなければ処理をステップＳ２４に進める。ステップＳ２０においては、受信したジョブ情報を表示する。そして、ジョブの実行を許可する指示または許可しない指示のいずれかを受け付け（ステップＳ２１）、許可する指示を受け付けたならば処理をステップＳ２２に進め、許可しない指示を受け付けたならば処理をステップＳ２３に進める。ステップＳ２２においては、許可信号をＭＦＰ１０２に返信し、ステップＳ２３においては不許可信号をＭＦＰ１０２に返信する。
【００７７】
ＭＦＰ１０２においては、図１０に戻って、ステップＳ４９において、指示端末であるＰＣ１００から許可信号を受信したか否かを判断する。許可信号を受信したならば処理をステップＳ５０に進め、不許可信号を受信したならば処理をステップＳ５４に進める。処理をステップＳ５４に進める場合には、ジョブが実行できないことを示すエラーメッセージを表示部１１４に表示し、ステップＳ４７において受け付けたジョブを消去する。電源制御指示の送信を指示したユーザが、ジョブの実行を許可するか否かを判断できるので、いつまでもジョブの入力が継続されて、ＭＦＰ１０２の電源制御が実行されなくなってしまうのを防止することができる。
【００７８】
ステップＳ５０においては、ステップＳ４６で開始した電源オフ動作を中止する。そして、ステップＳ４７において受け付けたジョブを実行する（ステップＳ５１）。そのジョブが終了したか否かを判断し（ステップＳ５２）、終了したならば処理をステップＳ５３に進め、終了していなければ処理をステップＳ４７に戻す。このため、電源オフ動作が開始された後に、ジョブが受け付けられた場合には、電源制御指示を送信してきたユーザの許可があることを条件に、そのジョブを実行させることができる。
【００７９】
ステップＳ５３においては、電源オフ動作を再開する。そして、電源オフ動作が終了したか否かを判断し（ステップＳ５４）、終了したならば処理をステップＳ５５に進め、終了していなければ処理をステップＳ４７に戻す。
【００８０】
ステップＳ５５においては、ステップＳ３１において受信した電源制御指示が、サブ電源をオフにする指示か否かを判断する。サブ電源をオフにする指示であれば処理をステップＳ５６に進め、そうでなく節電モードへの切換の指示であれば処理をステップＳ５９に進める。ステップＳ５６においては、サブ電源がオフの状態を示す信号をネットワーク１０１にブロードキャストで送信する。このため、ＭＦＰ１０２のサブ電源がオフの状態に変化したことを示す状態変化信号を、ネットワーク１０１に接続されている全ての装置に知らせることができる。次に、状態変化をＭＦＰ１０２のユーザに通知する（ステップＳ５７）。例えば、サブ電源がオフになることを示すメッセージを含む警告画面を表示部１１４に表示する。図１２に、警告画面の一例を示す。そして、サブ電源をオフにする（ステップＳ５８）。具体的には、電源回路２９の第１スイッチ３４を開く。
【００８１】
ステップＳ５９においては、節電モードの状態に変化したことを示す状態変化信号をネットワーク１０１にブロードキャストで送信する。このため、ＭＦＰ１０２が節電モードになったことを、ネットワーク１０１に接続されている全ての装置に知らせることができる。次に、状態変化をＭＦＰ１０２のユーザに通知する（ステップＳ６０）。例えば、節電モードになることを示すメッセージを含む警告画面を表示部１１４に表示する。そして、メイン電源をオフにする（ステップＳ６１）。具体的には、電源回路２９の第２スイッチ３３を開く。
【００８２】
再度、図４を参照して、ＰＣ１００は、ステップＳ２４においては、状態変化信号をＭＦＰ１０２から受信したか否かを判断し、受信したならば処理をステップＳ２５に進め、受信しなければ処理をステップＳ０１に戻す。ステップＳ２５においては、状態変化画面を表示する。図１３に状態変化画面の一例を示す。ネットワーク１０１に接続されている装置であれば、状態変化信号を受信可能なので、状態表示画面を表示することができる。
【００８３】
なお、ここでは、電源オフ動作が終了した後に、状態変化を通知するようにしたが、電源制御指示を受信した後に、電源制御が実行されることを予告する予告画面を表示部１１４に表示するようにしてもよい。図１４は、予告画面の一例を示す図である。
【００８４】
＜電源制御指示の変形例＞
上述した電源制御指示は、サブ電源をオフにする指示または節電モードに切り換える指示のいずれかを含むものであったが、変形例においては、電源制御指示を出してからそれが実行されるまでの時間を指定可能にしたものである。
【００８５】
図１５（Ａ）は、変形例における電源操作画面の一例を示す第１の図である。図１５（Ａ）を参照して、サブ電源スイッチのオンとオフを設定する領域に加えて、タイマー時間を設定する領域を含み、節電モードへの切換を設定する領域に加えて、タイマー時間を設定する領域を含む。図１５（Ｂ）は、変形例における電源操作画面の一例を示す第２の図である。図１５（Ｂ）を参照して、サブ電源スイッチのオンとオフを設定する領域に加えて、実行時刻であるタイマー値を設定する領域を含む。
【００８６】
変形例におけるＭＦＰ１０２においては、図１０に示したのと同様の電源制御処理が実行されるが、ステップＳ３２以降の処理は、電源制御指示とともにタイマー時間を受信した場合には、電源制御指示を受信してからタイマー時間が経過したときに実行し、電源制御指示とともにタイマー時刻を受信した場合には、タイマー時刻になったときに実行する。
【００８７】
＜遠隔制御の変形例＞
上述した画像処理システム１は、ＰＣ１００においてＭＦＰ１０２，１０３およびプリンタ１０４，１０５を遠隔制御して、電源制御を可能にした。遠隔制御の変形例における画像処理システムは、ＭＦＰ１０２，１０３およびプリンタ１０４，１０５を、ファクシミリ装置からファクシミリ送信することにより、または、ＰＣ１００または携帯電話から電子メールを送信することにより、遠隔制御するようにしたものである。以下、上述したＭＦＰ１０２と異なる点を主に説明する。
【００８８】
図１６は、変形例における遠隔制御指示受付部の詳細な構成を示す機能ブロック図である。図１６を参照して、遠隔制御指示受付部１５２Ａは、電子メール受信部１６２と、ファクシミリデータ受信部１６３と、電源制御信号抽出部１６４とを含む。
【００８９】
電子メール受信部１６２は、通信部２８に電子メールを受信させ、受信した電子メールを電源制御信号抽出部１６４に出力する。ファクシミリデータ受信部１６３は、ファクシミリ部２７がファクシミリデータを受信すると、ファクシミリデータを電源制御信号抽出部１６４に出力する。
【００９０】
電源制御信号抽出部１６４は、予め定められた電源制御信号を、電子メールまたはファクシミリデータから抽出する。電源制御信号抽出部１６４は、電源制御信号を電子メールまたはファクシミリデータから抽出すると、抽出した電源制御信号に対応する電源制御指示を電源制御部１５５に出力する。電源制御信号は、電源制御指示に対応して予め定められた文字列または記号などである。
【００９１】
電子メール受信部１６２は、発信元の電子メールアドレスが予め定められた電子メールのみを受信し、ファクシミリデータ受信部１６３は、予め定められたファクシミリ番号から着信したファクシミリデータのみを受信する。予め定められた電子メールアドレスに制限することにより、遠隔制御指示を電子メールで送信することのできるユーザを制限することができる。また、ファクシミリ番号を制限することにより、遠隔制御指示をファクシミリで送信することが可能なファクシミリ装置を制限することができる。また、ファクシミリデータまたは電子メールからユーザ識別情報およびパスワードを抽出するようにして、抽出したユーザ識別情報およびパスワードをユーザ認証部１５１で認証するようにしてもよい。
【００９２】
図１７は、変形例における電源制御指示受信処理の流れを示すフローチャートである。この変形例における電源制御指示受信処理は、図１０のステップＳ３１において実行される処理である。図１７を参照して、ファクシミリ受信したか否かを判断し（ステップＳ８１）、ファクシミリ受信したならば処理をステップＳ８２に進め、そうでなければ処理をステップＳ８３に進める。ステップＳ８２においては、ファクシミリデータから電源制御指示信号を抽出し、電源制御指示信号を抽出したならば処理を電源制御処理に戻し、抽出しなければ処理をステップＳ８３に進める。
【００９３】
ステップＳ８３においては、電子メールを受信したか否かを判断し、電子メールを受信したならば処理をステップＳ８４に進め、そうでなければ処理をステップＳ８１に戻す。ステップＳ８４においては、電子メールから電源制御指示信号を抽出し、電源制御指示信号を抽出したならば処理を電源制御処理に戻し、抽出しなければ処理をステップＳ８１に戻す。
【００９４】
図１８は、携帯電話で電子メールをＭＦＰに送信する具体例を示す図である。図１８（Ａ）は、携帯電話の外観を示す図である。図１８（Ｂ）は、電子メールの一例を示す図である。図１８（Ｂ）を参照して、電子メールのアドレスは、ＭＦＰ１０２に割当てられたアドレスが設定される。電子メールの内容は、電源ＯＦＦの文字を含む。この電源ＯＦＦの文字は、サブ電源をオフするための電源制御指示に予め対応付けられている。ＭＦＰ１０２は、図１０に示したのと同様の電源制御処理を実行し、携帯電話から電子メールを受信すると、サブ電源をオフにする。ただし、図１０のステップＳ５６において、サブ電源がオフの状態をネットワーク１０１にブロードキャストで送信するのに加えて、受信した電子メールを返信することにより、携帯電話にサブ電源がオフの状態となったことを記述した電子メールを送信する。図１８（Ｃ）は、返信メールの一例を示す図である。
【００９５】
図１９に、遠隔制御の変形例において、図１０のステップＳ５７で表示部１１４に表示される警告画面の一例を示す。図２０に、遠隔制御の変形例において、ネットワーク１０１に接続された装置、例えばＰＣ１００に表示される状態変化画面の一例を示す。
【００９６】
以上説明したように第１の実施の形態におけるＭＦＰ１０２は、遠隔操作により電源を制御するための指示が受け付けられたとき、実行するためのジョブが存在する場合は、実行するためのジョブの全てが実行された後に、電源を制御するための指示に従って電源を制御するので、実行しているジョブが途中で中断されることなく最後まで実行され、待機中のジョブが失われることなく実行される。このため、遠隔操作するユーザは、画像形成装置が実行するためのジョブの存在を確認することなく電源制御のための遠隔操作をすることができる。
【００９７】
また、遠隔操作により電源を制御するための指示が受け付けられたとき、操作を受け付けている場合は、該操作の受付が終了した後に、電源を制御するための指示に従って電源を制御するので、ＭＦＰ１０２を操作しているユーザが、操作を入力している最中に、操作の入力が中断されることなく最後まで操作を入力することができる。また、その操作に基づきジョブが設定された場合には、設定されたジョブが実行された後に電源が制御されるので、設定したジョブが失われるのを防止して、最後までジョブを実行することができる。
【００９８】
また、サブ電源をオフする、またはメイン電源をオフして節電モードに切り換える直前に、状態が変化する信号をネットワーク１０１に接続された装置に送信するので、ネットワーク１０１に接続された装置に状態が切換わることを通知することができる。
【００９９】
また、電源を制御する信号を送信してきたＰＣ１００に電源を制御してもよいか否かを確認するための確認画面を送信するので、ＭＦＰ１０２がファクシミリ装置を備える場合に、ファクシミリ装置が動作しなくなることをＰＣ１００のユーザに知らせて注意を喚起することができる。
【０１００】
また、電源を制御する指示が受け付けられ、画像形成部２４が電源をオフする前に実行する所定の処理を実行している最中に、新たなジョブが設定された場合には、画像形成部２４に所定の処理の実行を中止させ、新たなジョブを実行した後に、画像形成部２４に所定の処理を実行させる。このため、画像形成部２４が所定の処理を実行している最中に、新たなジョブの設定が可能となる。
【０１０１】
また、遠隔操作指示をすることのできるユーザを予め定められたユーザに制限するので、ＭＦＰ１０２の電源が不用意に切断されることがない。
【０１０２】
さらに、遠隔操作により電源制御指示が受信された場合に、予め定められた連動装置がある場合には、その連動装置に電源制御指示を送信するので、遠隔操作により電源制御指示を１つのＭＦＰに送信するだけで、複数のＭＦＰの電源を制御することができる。
【０１０３】
また、電子メールまたはファクシミリをＭＦＰ１０２に送信することにより、ＭＦＰ１０２の電源を制御できるので、遠隔操作を容易にすることができる。
【０１０４】
＜第２の実施の形態＞
第２の実施の形態におけるＭＦＰ１０２は、災害が発生すると、自動的に電源制御処理を実行するようにしたものである。以下、第１の実施の形態におけるＭＦＰ１０２と異なる点を主に説明する。
【０１０５】
図２１は、第２の実施の形態におけるＭＦＰのハード構成の一例を示すブロック図である。図２に示したハード構成と異なる点は、災害予兆検出部３０が追加された点である。その他の構成は、第１の実施の形態におけるＭＦＰ１０２と同じである。
【０１０６】
災害予兆検出部３０は、地震の発生により最初に伝達するＰ波を検知するセンサを含む。災害予兆検出部３０は、Ｐ波を検知すると、直ちにＣＰＵ１１０にＰ波が検知されたことを示す災害発生信号を出力する。このため、Ｐ波が検知されてから、第２の振動のＳ波が到達する前までに、データをバックアップすることができる。また、災害予兆検出部３０は、建物の火災報知機と接続されて、火災発生情報を受信する。災害予兆検出部３０は、火災発生情報を受信すると、災害発生信号をＣＰＵ１１０に出力する。
【０１０７】
図２２は、第２の実施の形態におけるＭＦＰの遠隔制御指示受付部の詳細な構成を示す機能ブロック図である。図２２を参照して、遠隔制御指示受付部１５２Ｂは、災害情報受信部１６５と、災害検出部１６６とを含む。第２の実施の形態における遠隔制御指示受付部１５２Ｂが出力する電源制御指示は、サブ電源をオフする電源制御信号のみである。
【０１０８】
災害情報受信部１６５は、通信部２８が、公的または民間の災害予告機関から発信される、大雨、洪水、雷、地震などの災害予告情報を受信すると、遠隔操作指示を電源制御部１５５に出力する。災害検出部１６６は、災害予兆検出部３０から災害発生信号が入力されると、電源制御指示を電源制御部１５５に出力する。
【０１０９】
図２３は、第２の実施の携帯におけるＭＦＰで実行される電源制御指示受信処理の流れを示すフローチャートである。この変形例における電源制御指示受信処理は、図１０のステップＳ３１において実行される処理である。図２３を参照して、災害発生を検出したか否かを判断し（ステップＳ９１）、災害発生を検出したならば処理を電源制御処理に戻し、そうでなければ処理をステップＳ９２に進める。災害予兆検出部３０から災害発生信号が入力されると、災害の発生を検出する。ステップＳ９２においては、通信部２８が災害予告情報を受信したか否かを判断し、災害予告情報を受信したならば処理を電源制御処理に戻し、そうでなければ処理をステップＳ９１に戻す。
【０１１０】
第２の実施の形態におけるＭＦＰ１０２は、災害予告情報を受信した後、または、災害発生を検出した後に、電源制御が実行されることを予告する予告画面を表示部１１４に表示する。図２４（Ａ）および図２４（Ｂ）は、第２の実施の形態における予告画面の一例を示す図である。図２５は、第２の実施の形態における画像処理システムにおいて、ＰＣ１００に表示される状態変化画面の一例を示す図である。
【０１１１】
以上説明したように第２の実施の形態におけるＭＦＰ１０２は、災害の発生が検出されたとき、実行するためのジョブが存在する場合は、実行するためのジョブの全てが実行された後に、電源をオフにするので、ジョブが失われるのを防止することができる。また、災害発生時に漏電による火災が発生するのを防止することが可能な画像形成装置を提供することができる。
【０１１２】
また、災害の発生が検出されたとき、操作を受け付けている場合は、該操作の受付が終了した後に、電源をオフにするので、ＭＦＰ１０２を操作しているユーザが、操作を入力している最中に、操作の入力が中断されることなく最後まで操作を入力することができる。また、その操作に基づきジョブが設定された場合には、設定されたジョブが実行された後に電源が制御されるので、設定したジョブが失われるのを防止して、最後までジョブを実行することができる。また、災害が発生する予告を表示部１１４に表示するので、ユーザは、災害が発生することを事前にしることができ、非難することができる。
【０１１３】
なお、上述した実施の形態においては、画像処理システム１について説明したが、図１０、図１１、図１７および図２３に示した処理をＭＦＰ１０２に実行させるための電源制御方法または電源制御プログラムとして発明を捉えることができるのは言うまでもない。
【０１１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１１５】
＜付記＞
（１）  操作主体を認証するための認証手段を含み、
前記操作待機制御手段は、前記操作受付手段が所定の操作主体による操作を受け付けている場合に、該操作の受付が終了した後に、前記受け付けられた電源を制御するための指示に従って電源を制御する、請求項２に記載の画像形成装置。
（２）  （１）において、
前記操作待機制御手段は、前記遠隔操作指示受付手段により受け付けられた電源を制御するための指示の操作主体が、前記操作受付手段が受け付けている操作の操作主体と異なることを条件に、前記受け付けられた電源を制御するための指示に従って電源を制御する。
（３）  ネットワークに接続されたコンピュータから災害情報を受信するための災害情報受信手段をさらに備え、
遠隔操作指示受付手段は、前記ネットワークに接続されたコンピュータから受信される災害情報を、前記電源を制御するための指示として受け付ける災害情報受付手段を含む、請求項１に記載の画像形成装置。
この発明に従えば、ジョブが失われるのを防止するとともに、災害発生時に漏電による火災が発生するのを防止することが可能な画像形成装置を提供することができる。
（４）  災害の発生を検出するための災害発生検出手段と、
ジョブを実行するジョブ実行手段と、
電源を制御する電源制御手段とを備え、
前記電源制御手段は、前記災害発生検出手段により災害の発生が検出されたとき、前記ジョブ実行手段が実行するためのジョブが存在する場合は、前記ジョブ実行手段が実行するためのジョブの全てを実行した後に、電源をオフにする電源オフ手段を含む、画像形成装置。
この発明に従えば、災害の発生が検出されたとき、実行するためのジョブが存在する場合は、実行するためのジョブの全てが実行された後に、電源がオフにされる。このためジョブが失われるのを防止するとともに、災害発生時に漏電による火災が発生するのを防止することが可能な画像形成装置を提供することができる。
（５）  ネットワークを介して接続された画像形成装置を制御するための制御端末であって、
前記画像形成装置の主電源の状態を検出する検出手段と、
前記検出した主電源の状態を表示する表示手段とを備え、
前記表示手段は、複数ある状態の色を異ならせて表示する、制御端末。
（６）  ネットワークを介して接続された複数の画像形成装置を制御するための制御端末であって、
前記複数の画像形成装置各々の主電源の状態を検出する検出手段と、
前記複数の画像形成装置各々の主電源の状態を表示する表示手段とを備えた、制御端末。
【図面の簡単な説明】
【０１１６】
【図１】本発明の第１の実施の形態における画像処理システムの全体構成を示す図である。
【図２】本実施の形態におけるＭＦＰのハード構成の一例を示すブロック図である。
【図３】ＭＦＰのＣＰＵの機能の概要をＨＤＤに記憶する情報とともに示す機能ブロック図である。
【図４】ＰＣで実行される装置管理処置の流れの一例を示す図である。
【図５】状態一覧表示画面の一例を示す図である。
【図６】操作画面の一例を示す第１の図である。
【図７】（Ａ）は、電源操作画面の一例を示す図であり、（Ｂ）は、電源状態一括操作画面の一例を示す図である。
【図８】（Ａ）は、ログイン画面の一例を示す図であり、（Ｂ）は、エラー画面の一例を示す図である。
【図９】警告画面の一例を示す図である。
【図１０】ＭＦＰで実行される電源制御処理の流れの一例を示すフローチャートである。
【図１１】電源制御指示受信処理の流れの一例を示すフローチャートである。
【図１２】警告画面の一例を示す図である。
【図１３】状態変化画面の一例を示す図である。
【図１４】予告画面の一例を示す図である。
【図１５】変形例における電源操作画面の一例を示す図である。
【図１６】変形例における遠隔制御指示受付部の詳細な構成を示す機能ブロック図である。
【図１７】変形例における電源制御指示受信処理の流れを示すフローチャートである。
【図１８】携帯電話で電子メールをＭＦＰに送信する具体例を示す図である。
【図１９】遠隔制御の変形例における警告画面の一例を示す。
【図２０】遠隔制御の変形例における状態変化画面の一例を示す。
【図２１】第２の実施の形態におけるＭＦＰのハード構成の一例を示すブロック図である。
【図２２】第２の実施の形態におけるＭＦＰの遠隔制御指示受付部の詳細な構成を示す機能ブロック図である。
【図２３】第２の実施の携帯におけるＭＦＰで実行される電源制御指示受信処理の流れを示すフローチャートである。
【図２４】第２の実施の形態における予告画面の一例を示す図である。
【図２５】第２の実施の形態における画像処理システムにおいて、ＰＣ１００に表示される状態変化画面の一例を示す図である。
【符号の説明】
【０１１７】
１  画像処理システム、２２  画像読取部、２３  画像処理部、２４  画像形成部、２５  給紙部、２６  後処理部、２７  ファクシミリ部、２８  通信部、２９  電源回路、３０  災害予兆検出部、３１  サブ電源、３２  メイン電源、３３  第２スイッチ、３４  第１スイッチ、１０１  ネットワーク、１０２，１０３  ＭＦＰ、１０４，１０５  プリンタ、１１３Ａ  ジョブ記憶部、１１４  表示部、１１５  操作部、１１６  外部記憶装置、１１６Ａ  ＣＤ−ＲＯＭ、１５１  ユーザ認証部、１５２，１５２Ａ，１５２Ｂ  遠隔制御指示受付部、１５３  ジョブ受付部、１５４  ジョブ実行制御部、１５５  電源制御部、１５６  電源制御前動作実行部、１６１  操作受付部、１６２  電子メール受信部、１６３  ファクシミリデータ受信部、１６４  電源制御信号抽出部、１６５  災害情報受信部、１６６  災害検出部。
【図１】
2007320051.tif 000003
【図２】
2007320051.tif 000004
【図３】
2007320051.tif 000005
【図４】
2007320051.tif 000006
【図５】
2007320051.tif 000007
【図６】
2007320051.tif 000008
【図７】
2007320051.tif 000009
【図８】
2007320051.tif 000010
【図９】
2007320051.tif 000011
【図１０】
2007320051.tif 000012
【図１１】
2007320051.tif 000013
【図１２】
2007320051.tif 000014
【図１３】
2007320051.tif 000015
【図１４】
2007320051.tif 000016
【図１５】
2007320051.tif 000017
【図１６】
2007320051.tif 000018
【図１７】
2007320051.tif 000019
【図１８】
2007320051.tif 000020
【図１９】
2007320051.tif 000021
【図２０】
2007320051.tif 000022
【図２１】
2007320051.tif 000023
【図２２】
2007320051.tif 000024
【図２３】
2007320051.tif 000025
【図２４】
2007320051.tif 000026
【図２５】
2007320051.tif 000027